(57)【特許請求の範囲】
【請求項１】
ベッドを利用する利用者の温度画像データを用いて前記利用者の状態を検知する情報処理装置であって、
前記ベッド及び前記ベッドの周辺に設けられた複数の検知領域のうち、前記利用者が利用する枕が配置された領域である第１の検知領域と、前記ベッドの周囲の一部に設けられた柵が配置された領域である第２の検知領域とにおいて、所定の温度範囲に対応する色の領域の大きさを示す情報のうち、所定の大きさ以上の領域の情報が同時に検知されたときの前記利用者の状態を示す判定内容を管理する判定情報管理部と、
前記温度画像データにおいて、前記第１の検知領域及び前記第２の検知領域で、前記所定の大きさ以上の領域の情報が同時に検知されたときに、前記判定内容を示す前記利用者の情報を提供する情報提供部と、
を有する、情報処理装置。
【請求項２】
前記ベッドは、前記ベッドの周囲に設けられた複数の柵を備え、
前記第２の検知領域は、前記複数の柵のうち、予め設定された１つ以上の柵が配置された領域の一部又は全部を含む、
請求項１に記載の情報処理装置。
【請求項３】
前記情報提供部は、前記温度画像データにおいて、前記第１の検知領域で予め設定された第１の温度範囲に対応する、前記所定の大きさ以上の領域の情報が検知され、かつ前記第２の検知領域で予め設定された第２の温度範囲に対応する、前記所定の大きさ以上の領域の情報が検知された場合、前記利用者に起き上がりの前兆があることを示す前記利用者の情報を所定の通知先に通知する、請求項１又は２に記載の情報処理装置。
【請求項４】
前記情報提供部は、
前記温度画像データにおいて、前記第１の検知領域で予め設定された第１の温度範囲に対応する、前記所定の大きさ以上の領域の情報が検知された後に、前記第１の検知領域で前記第１の温度範囲に対応する、前記所定の大きさ以上の領域の情報が検知され、かつ前記第２の検知領域で予め設定された第２の温度範囲に対応する、前記所定の大きさ以上の領域の情報が検知された場合、前記利用者に起き上がりの前兆があることを示す前記利用者の情報を所定の通知先に通知する、請求項１又は２に記載の情報処理装置。
【請求項５】
前記情報提供部は、前記温度画像データにおいて、前記第１の温度範囲に対応する、前記所定の大きさ以上の領域の情報と前記第２の温度範囲に対応する、前記所定の大きさ以上の領域の情報とが同時に検知された場合、前記利用者に起き上がりの前兆があることを示す前記利用者の情報を所定の通知先に通知する、請求項３又は４に記載の情報処理装置。
【請求項６】
ベッドを利用する利用者の温度画像データを用いて前記利用者の状態を検知する情報処理システムであって、
前記ベッド及び前記ベッドの周辺に設けられた複数の検知領域のうち、前記利用者が利用する枕が配置された領域である第１の検知領域と、前記ベッドの周囲の一部に設けられた柵が配置された領域である第２の検知領域とにおいて、所定の温度範囲に対応する色の領域の大きさを示す情報のうち、所定の大きさ以上の領域の情報が同時に検知されたときの前記利用者の状態を示す判定内容を管理する判定情報管理部と、
前記温度画像データにおいて、前記第１の検知領域及び前記第２の検知領域で前記所定の大きさ以上の領域の情報が同時に検知されたときに、前記判定内容を示す前記利用者の情報を提供する情報提供部と、
を有する、情報処理システム。
【請求項７】
ベッドを利用する利用者の温度画像データを用いて前記利用者の状態を検知する情報処理装置が、
前記ベッド及び前記ベッドの周辺に設けられた複数の検知領域のうち、前記利用者が利用する枕が配置された領域である第１の検知領域と、前記ベッドの周囲の一部に設けられた柵が配置された領域である第２の検知領域とにおいて、所定の温度範囲に対応する色の領域の大きさを示す情報のうち、所定の大きさ以上の領域の情報が同時に検知されたときの前記利用者の状態を示す判定内容を管理する処理と、
前記温度画像データにおいて、前記第１の検知領域及び前記第２の検知領域で前記所定の大きさ以上の領域の情報が同時に検知されたときに、前記判定内容を示す前記利用者の情報を提供する処理と、
を実行する、情報提供方法。
【請求項８】
請求項７に記載の情報提供方法を情報処理装置に実行させる、プログラム。
【発明の詳細な説明】
【技術分野】
【０００１】
本発明は、情報処理装置、情報処理システム、情報提供方法、及びプログラムに関する。
【背景技術】
【０００２】
医療施設や介護施設等の施設において、施設に設置されたベッドを利用する利用者の状況（例えば、ベッドから離れたこと、ベッドから落下したこと、ベッドから落下しそうなこと等）を示す利用者の情報を提供する情報提供システムがある。
【０００３】
例えば、施設に備えられたベッドを利用する利用者の温度画像データを用いて、利用者の状態を検知し、利用者の状態を示す情報を所定の通知先に通知する情報処理システムが知られている（例えば、特許文献１参照）。
【発明の概要】
【発明が解決しようとする課題】
【０００４】
特許文献１に示すような情報処理システムにおいて、利用者が起き上がってベッドから出ようとする動作の前兆（以下、起き上がりの前兆と呼ぶ）を検知して、できるだけ早い段階で通知先に通知したいという要求がある。
【０００５】
しかし、例えば、利用者が起き上がる前に身体を動かし始めたことを検知し、起き上がりの前兆として通知先に通知してしまうと、寝返り等の起き上がり以外の動作でも通知が行なわれてしまうため、誤通知が増えてしまうという問題がある。
【０００６】
このように、従来の技術では、ベッドを利用する利用者の温度画像データを用いて利用者の状態を検知する情報処理システムにおいて、誤通知を抑制しつつ、利用者の起き上がりの前兆を迅速に通知することには困難を伴っていた。
【０００７】
なお、このような問題は、ベッドからの起き上がりに限られず、医療施設や介護施設等の施設に備えられたストレッチャー、手術台、診察台等、ベッドと同様に利用者が横たわる様々な設備において利用者の状態を検知する情報処理システムに共通に存在する。
【０００８】
本発明の実施の形態は、上記問題点に鑑みてなされたものであって、所定の設備を利用する利用者の温度画像データを用いて利用者の状態を検知する情報処理システムにおいて、誤通知を抑制しつつ、利用者による所定の動作の前兆を通知できるようにする。
【課題を解決するための手段】
【０００９】
上記課題を解決するため、本発明の一実施形態に係る情報処理装置は、ベッドを利用する利用者の温度画像データを用いて前記利用者の状態を検知する情報処理装置であって、前記ベッド及び前記ベッドの周辺に設けられた複数の検知領域のうち、前記利用者が利用する枕が配置された領域である第１の検知領域と、前記ベッドの周囲の一部に設けられた柵が配置された領域である第２の検知領域とにおいて、所定の温度範囲に対応する色の領域の大きさを示す情報のうち、所定の大きさ以上の領域の情報が同時に検知されたときの前記利用者の状態を示す判定内容を管理する判定情報管理部と、前記温度画像データにおいて、前記第１の検知領域及び前記第２の検知領域で前記所定の大きさ以上の領域の情報が同時に検知されたときに、前記判定内容を示す前記利用者の情報を提供する情報提供部と、を有する。
【発明の効果】
【００１０】
本発明の実施の形態によれば、所定の設備を利用する利用者の温度画像データを用いて利用者の状態を検知する情報処理システムにおいて、誤通知を抑制しつつ、利用者による所定の動作の前兆を通知できるようになる。
【図面の簡単な説明】
【００１１】
【図１】一実施形態に係る情報処理システムのシステム構成の一例を示す図である。
【図２】一実施形態に係る情報処理システムのシステム構成の別の一例を示す図である。
【図３】一実施形態に係るベッド、及びカメラの配置の一例を示す図である。
【図４】一実施形態に係る検知領域の例を示す図である。
【図５】一実施形態に係る判定条件、及び判定内容の例について説明するための図である。
【図６】一実施形態に係るコンピュータのハードウェア構成の例を示す図である。
【図７】一実施形態に係る情報処理装置の機能構成の例を示す図である。
【図８】一実施形態に係る情報処理装置が管理する情報の例を示す図である。
【図９】一実施形態に係る設定画面の例を示す図である。
【図１０】一実施形態に係る情報処理装置の処理の例を示すフローチャートである。
【図１１】一実施形態に係る情報処理システムの処理の例を示すシーケンス図である。
【図１２】一実施形態に係る表示画面の例を示す図である。
【図１３】第１の実施形態に係る判定処理の例を示すフローチャートである。
【図１４】第２の実施形態に係る判定処理の例を示すフローチャートである。
【発明を実施するための形態】
【００１２】
以下に、本発明の実施の形態について、添付の図面を参照して説明する。
【００１３】
＜システムの構成＞
図１は、一実施形態に係る情報処理システムの構成例を示す図である。情報処理システム１００は、例えば、医療施設や介護施設等の施設の一例である入院病棟１１０に設置された複数のカメラ１０２ａ〜１０２ｆと、ネットワーク１０４を介して複数のカメラ１０２ａ〜１０２ｆに接続される情報処理装置１０１とを含む。
【００１４】
なお、以下の説明の中で、複数のカメラ１０２ａ〜１０２ｆのうち、任意のカメラを示す場合、「カメラ１０２」を用いる。また、図１に示すカメラ１０２の数は一例であり、カメラ１０２の数は１つ以上の他の数であっても良い。
【００１５】
カメラ１０２は、物体の温度を示す画像データ（以下、温度画像データと呼ぶ）を撮影する撮影装置であり、例えば、一般的な赤外線サーモグラフィカメラ（以下、サーモカメラと呼ぶ）等を適用することができる。サーモカメラは、測定対象物からの赤外線放射を画像化して温度に換算し、温度の分布を色等によって可視化する装置である。なお、サーモカメラは、サーモグラフィ、サーモビジョン、サーモビューワ等と呼ばれる場合もある。
【００１６】
図１の例では、複数のカメラ１０２ａ〜１０２ｆは、病室Ａ〜Ｆに設けられた複数のベッド１０３ａ〜１０３ｆの各々に対応して、各病室の壁、又は天井等に設置されている。例えば、カメラ１０２ａは、病室Ａに設けられたベッド１０３ａに対応する壁面に設置され、ベッド１０３ａ、及びベッド１０３ａの周辺の温度を示す温度画像データを撮影することができるように設置されている。
【００１７】
また、カメラ１０２ａは、ベッド１０３ａ、及びベッド１０３ａの周辺の温度を示す温度画像データを所定のフレームレート（例えば、５ｆｐｓ〜１ｆｐｓ程度）で撮影し、取得した温度画像データを、ネットワーク１０４を介して情報処理装置１０１に送信する。なお、カメラ１０２ａが撮影する画像データは、動画データに限られず、所定の時間間隔（例えば、１秒〜６０秒間隔等）で撮影される静止画データであっても良い。
【００１８】
このとき、カメラ１０２ａが送信する温度画像データには、カメラ１０２ａ、ベッド１０３ａ等を識別するための識別情報（例えば、ＩＰアドレス、カメラＩＤ、ベッドＩＤ等）が含まれる。
【００１９】
同様にして、他のカメラ１０２ｂ〜１０２ｆは、対応するベッド、及びベッドの周辺の温度を示す温度画像データを撮影し、撮影した温度画像データを識別情報と共に、ネットワーク１０４を介して情報処理装置１０１に送信する。
【００２０】
情報処理装置１０１は、例えば、コンピュータの構成を有する情報処理装置、又は複数の情報処理装置を含むシステムである。情報処理装置１０１は、カメラ１０２から送信される温度画像データを取得し、取得した温度画像データを用いて、ベッド及びベッドの周辺に予め定められた１つ以上の検知領域における温度を検知する。また、情報処理装置１０１は、１つ以上の検知領域において、予め設定された温度、温度の組合せ、温度の変化等が検知された場合、ベッドを利用する利用者の状態を示す利用者の情報を、所定の通知先に通知する。
【００２１】
なお、利用者には、例えば、医療施設に入院している患者、介護施設に入居している入居者等が含まれる。ここでは、一例として、利用者が入院病棟１１０に入院している患者であるものとして、以下の説明を行う。
【００２２】
ナースコールシステム１２１は、例えば、コンピュータの構成を有する情報処理装置、又は複数の情報処理装置を含むシステムであり、情報処理装置１０１が利用者の情報を通知する所定の通知先の一例である。ナースコールシステム１２１は、ベッド１０３を利用する利用者による呼出情報を、ナースステーションＡ〜Ｃに設置された表示装置１２２ａ〜１２２ｃや、看護師や介護士等の施設のスタッフが所持する情報端末１２３等に表示させる。
【００２３】
また、本実施形態に係るナースコールシステム１２１は、図１に示すように、ネットワーク１０４を介して情報処理装置１０１に接続され、情報処理装置１０１から通知される利用者の情報を受付する。また、ナースコールシステム１２１は、受付した利用者の情報に基づいて、利用者の状態を通知する表示画面を、表示装置１２２ａ〜１２２ｃや、情報端末１２３等に表示させる。
【００２４】
複数の表示装置１２２ａ〜１２２ｃは、例えば、ナースステーション等に設けられた表示装置であり、ナースコールシステム１２１、又は情報処理装置１０１から送信される表示画面を表示する。
【００２５】
情報端末１２３は、例えば、看護師や介護士等のスタッフが所持するスマートフォン、タブレット端末、ノートＰＣ等の情報処理装置である。情報端末１２３は、例えば、無線通信等によりナースコールシステム１２１と通信が可能であり、所定のアプリケーションプログラム（以下、アプリと呼ぶ）を実行することにより、ナースコールシステム１２１、又は情報処理装置１０１から送信される表示画面を表示する。
【００２６】
なお、ナースコールシステム１２１の機能は、例えば、図２に示すように、情報処理装置１０１に含まれていても良い。或いは、情報処理装置１０１の機能は、ナースコールシステム１２１に含まれていても良い。
【００２７】
なお、表示装置１２２ａ〜１２２ｃ、及び情報端末１２３は、情報処理装置１０１が利用者の情報を通知する所定の通知先の別の一例である。
【００２８】
（ベッド、及びカメラの配置の例）
図３は、一実施形態に係るベッド、及びカメラの配置の一例を示す図である。図３（ａ）に示すように、カメラ１０２は、カメラ１０２に対応するベッド１０３、及びベッドの周辺の温度画像データを撮影することができるように、病室１１１の壁面等に設置されている。なお、カメラ１０２は、病室１１１の天井に設置されているものであっても良い。
【００２９】
図３（ｂ）は、病室１１１を上方から見た状態を示している。カメラ１０２は、カメラ１０２に対応するベッド１０３、及びベッド１０３の周辺を含む所定の範囲（以下、検知範囲２０１と呼ぶ）の温度画像データを取得することができるように設置されている。
【００３０】
（検知領域の例）
図４は、一実施形態に係る検知領域の例を示す図である。情報処理装置１０１は、カメラ１０２の検知範囲２０１内に予め設定された、１つ以上の検知領域の情報である領域情報を管理している。カメラ１０２の検知範囲２０１内には、例えば、図４に示されるように、複数の検知領域が設定されている。図４の例では、検知範囲２０１内には、検知領域Ａ４０３、検知領域Ｂ４０４−１、４０４−２、検知領域Ｃ４０５、検知領域Ｄ４０６−１、４０６−２、及び検知領域Ｅ４０７−１、４０７−２等が設定されている。
【００３１】
なお、以下の説明において、検知領域Ｂ４０４−１、４０４−２のうち、任意の検知領域Ｂを示す場合、「検知領域Ｂ４０４」を用いる。また、検知領域Ｄ４０６−１、４０６−２のうち、任意の検知領域Ｄを示す場合、「検知領域Ｄ４０６」を用いる。さらに、検知領域Ｅ４０７−１、４０７−２のうち、任意の検知領域Ｅを示す場合、「検知領域Ｅ４０７」を用いる。
【００３２】
図４の例では、検知領域Ａ４０３は、利用者が利用する枕４０２が配置される領域を含むように設定されている。また、ベッド１０３は、例えば、ベッド１０３の周囲に設けられた落下防止用等の柵４０１−１〜４０１−３を備え、このうち、柵４０１−１、４０１−２の一部又は全部を含むように、検知領域Ｂ４０４−１、４０４−２が設定されている。さらに、ベッド１０３の中央付近には、検知領域Ｃ４０５が設定され、ベッド１０３の端部のうち、柵４０１−１〜４０１−３がない箇所には、検知領域Ｄ４０６−１、４０６−２が設定されている。さらにまた、ベッド１０３の横に隣接する領域（例えば、床等）には、検知領域Ｅ４０７−１、４０７−２が設定されている。
【００３３】
情報処理装置１０１は、例えば、温度画像データの座標情報に基づいて、複数の検知領域の位置を管理する。また、別の一例として、情報処理装置１０１は、温度画像データを、網の目状の小領域（メッシュ）に分割し、分割された小領域に基づいて、複数の検知領域の位置を管理しても良い。この場合、情報処理装置１０１は、分割された小領域の縦方向の位置を示す情報（１、２、３、・・・）と、横方向の位置を示す情報（Ａ、Ｂ、Ｃ、・・・）とを組合せて、複数の検知領域の位置を管理すれば良い。
【００３４】
（判定条件、及び判定内容について）
情報処理装置１０１は、カメラ１０２から取得した温度画像データを用いて、複数の検知領域で所定の温度を検知し、検知結果が予め設定された判定条件を満たす場合、判定条件に対応する判定内容を示す利用者の情報を、所定の通知先に通知する。
【００３５】
図５は、一実施形態に係る判定条件、及び判定内容の例について説明するための図である。図５（Ａ）は、ベッド１０３に利用者５０１が横たわっている場合における、利用者５０１の温度画像のイメージを示している。図５（Ａ）の例では、利用者５０１は、パジャマや部屋着等の衣服を身に付けており、頭５０２、手５０３、足５０４等が、利用者５０１の体温に相当する温度範囲の色で表示されているものとする。
【００３６】
このように、検知領域Ａ４０３で、利用者５０１の体温に相当する所定の温度（例えば、３５℃〜３９℃等）が検知された場合、情報処理装置１０１は、利用者５０１の状態が、ベッドに横たわった状態である「就寝」と判定する。これは、一般的に、利用者５０１の枕４０２の位置に、利用者５０１の足５０４や手５０３のみがあるケースは少ないと考えられるためである。
【００３７】
この方法であれば、例えば、利用者５０１が、布団や毛布等を被っていて、利用者５０１の手５０３、足５０４等の温度が検知できない場合でも、情報処理装置１０１は、利用者５０１の状態が「就寝」であることを判定することができる。なお、本実施形態では、「就寝」には、利用者５０１の目が覚めていて、ベッド１０３に横たわっている状態等も含まれる。
【００３８】
図５（Ｂ）は、身体の状態が比較的良好な利用者５０１が、「就寝」状態から起き上がった場合における、利用者５０１の温度画像のイメージを示している。このように、検知領域Ａ４０３で、利用者５０１の体温に相当する所定の温度が検知されなくなり、かつ検知領域Ｃ４０５で、所定の温度が検知された場合、情報処理装置１０１は、利用者５０１の状態が起き上がった状態である「起き上がり」と判定する。
【００３９】
しかし、利用者５０１の中には、自分で起き上がることが困難な利用者や、自分で起き上がることが望ましくない利用者（例えば、手術後、麻酔が覚めたばかりの患者等）もいる。このような場合、利用者５０１が「起き上がり」状態になる前に、「起き上がりの前兆」を検知して、できるだけ早い段階で所定の通知先に通知することが望ましい。
【００４０】
例えば、利用者５０１の個々の動きを録画しておき、利用者５０１が起き上がりの前に行う特徴的な動作を特定して、当該動作を利用者５０１が行ったときに、「起き上がりの前兆」があることを、所定の通知先に通知する方法が考えられる。
【００４１】
具体的な一例として、利用者５０１が起き上がるときに、身体の状態によっては、ベッド１０３の横の柵４０１−１、４０１−２をつかみ、柵４０１−１、４０１−２の補助によって、自分で起き上がることができるケースがある。
【００４２】
この場合、利用者５０１は、ベッド１０３に横たわった状態から、柵４０１−１、４０１−２をつかむため、例えば、図５（Ｃ）に示すように、検知領域Ａ４０３、及び検知領域Ｂ４０４で、利用者５０１の体温に相当する温度が検知されることになる。従って、情報処理装置１０１は、例えば、検知領域Ａ４０３、及び検知領域Ｂ４０４で、利用者５０１の体温に相当する温度が検知された場合、利用者５０１に「起き上がりの前兆」があると判断することができる。
【００４３】
好ましくは、情報処理装置１０１は、図５（Ａ）に示す「就寝」状態から、図５（Ｃ）に示した状態が検知された場合に、利用者５０１に「起き上がりの前兆」があると判断する。これにより、情報処理装置１０１は、利用者５０１が、柵４０１−１、４０１−２をつかんでベッド１０３に横たわったとき等に、「起き上がりの前兆」があると誤検知し、所定の通知先に通知してしまうことを抑制することができる。
【００４４】
別の一例として、利用者５０１が起き上がるときに、身体の状態によっては、柵４０１−１、４０１−２をつかむことができずに、例えば、足５０４からベッド１０３を降りようとするケースがある。
【００４５】
この場合、例えば、図５（Ｄ）に示すように、検知領域Ａ４０３、及び検知領域Ｅ４０７で、利用者５０１の体温に相当する温度が検知されることになる。従って、情報処理装置１０１は、例えば、検知領域Ａ４０３、及び検知領域Ｅ４０７で、利用者５０１の体温に相当する温度が検知された場合に、利用者に「起き上がりの前兆」があると判断しても良い。
【００４６】
好ましくは、情報処理装置１０１は、図５（Ａ）に示す「就寝」状態から、図５（Ｄ）に示す状態が検知された場合に、利用者５０１に「起き上がりの前兆」があると判断する。これにより、情報処理装置１０１は、利用者５０１が、ベッド１０３に戻って横たわったとき等に、「起き上がりの前兆」があると誤検知し、所定の通知先に通知してしまうことを抑制することができる。
【００４７】
このように、本実施形態によれば、ベッド１０３を利用する利用者５０１の温度画像データを用いて利用者５０１の状態を検知する情報処理装置１０１において、利用者５０１による「起き上がりの前兆」を、より早い段階で所定の通知先に通知可能である。
【００４８】
また、本実施形態に係る情報処理装置１０１は、利用者５０１が、例えば、寝返り等の起き上がり以外の動作を行ったときに、誤って、利用者に「起き上がりの前兆」があることを通知してしまうことを低減することができる。
【００４９】
従って、本実施形態によれば、ベッド１０３を利用する利用者５０１の温度画像データを用いて利用者５０１の状態を検知する情報処理システム１００において、誤通知を抑制しつつ、利用者５０１による「起き上がりの前兆」を通知できるようになる。
【００５０】
なお、ベッド１０３は、所定の設備の一例である。ベッド１０３は、例えば、医療施設や介護施設等の施設に備えられたストレッチャー、手術台、診察台等、ベッドと同様に利用者５０１が横たわる様々な設備であって良い。
【００５１】
また、「起き上がりの前兆」は、利用者５０１の状態を示す判定内容の一例である。例えば、利用者５０１の個々の動きを録画して、利用者５０１が、起き上がり以外の動作（例えば、水分の補給、排尿、排便等）を行う前に特徴的な動作を行っている場合、情報処理装置１０１は、起き上がり動作以外の動作の前兆を判定できる可能性がある。
【００５２】
＜ハードウェア構成＞
続いて、情報処理装置１０１のハードウェア構成の例について説明する。情報処理装置１０１は、例えば、図６に示すようなコンピュータ６００のハードウェア構成を有している。或いは、情報処理装置１０１は、複数のコンピュータ６００によって構成される。
【００５３】
図６は、一実施形態に係るコンピュータのハードウェア構成の例を示す図である。コンピュータ６００は、例えば、ＣＰＵ（Central Processing Unit）６０１、ＲＯＭ（Read Only Memory）６０２、ＲＡＭ（Random Access Memory）６０３、ＨＤ（Hard Disk）６０４、ＨＤＤ（Hard Disk Drive）コントローラ６０５、ディスプレイ６０６、外部機器接続Ｉ／Ｆ（Interface）６０７、ネットワークＩ／Ｆ６０８、キーボード６０９、ポインティングデバイス６１０、ＤＶＤ−ＲＷ（Digital Versatile Disk Rewritable）ドライブ６１２、メディアＩ／Ｆ６１４、及びバスライン６１５等を備えている。
【００５４】
これらのうち、ＣＰＵ６０１は、コンピュータ６００の全体の動作を制御する。ＲＯＭ６０２は、例えば、ＩＰＬ（Initial Program Loader）等のコンピュータ６００の起動に用いられるプログラムを記憶する。ＲＡＭ６０３は、例えば、ＣＰＵ６０１のワークエリア等として使用される。ＨＤ６０４は、例えば、プログラム等の各種データを記憶する。ＨＤＤコントローラ６０５は、ＣＰＵ６０１の制御に従ってＨＤ６０４に対する各種データの読み出し又は書き込みを制御する。
【００５５】
ディスプレイ６０６は、例えば、カーソル、メニュー、ウィンドウ、文字、又は画像などの各種の情報を表示する。外部機器接続Ｉ／Ｆ６０７は、各種の外部機器を接続するためのインタフェースである。ネットワークＩ／Ｆ６０８は、ネットワーク１０４を利用してデータ通信をするためのインタフェースである。
【００５６】
キーボード６０９は、文字、数値、各種指示などの入力のための複数のキーを備えた入力手段の一種である。ポインティングデバイス６１０は、各種指示の選択や実行、処理対象の選択、カーソルの移動などを行う入力手段の一種である。ＤＶＤ−ＲＷドライブ６１２は、着脱可能な記録媒体の一例としてのＤＶＤ−ＲＷ６１１に対する各種データの読み出し又は書き込みを制御する。なお、ＤＶＤ−ＲＷ６１１は、ＤＶＤ−ＲＷ６１１に限らず、他の記録媒体であっても良い。メディアＩ／Ｆ６１４は、例えば、フラッシュメモリやメモリカード等のメディア６１３に対するデータの読み出し又は書き込み（記憶）を制御する。バスライン６１５は、上記の各構成要素を電気的に接続するためのアドレスバス、データバス及び各種の制御信号等を含む。
【００５７】
＜機能構成＞
続いて、情報処理システム１００の機能構成について説明する。図７は、一実施形態に係る情報処理システム１００の機能構成の例を示す図である。情報処理システム１００は、例えば、ＬＡＮ（Local Area Network）等のネットワーク１０４に接続する情報処理装置１０１、及び複数のカメラ１０２ａ、１０２ｂ、・・・等を含む。また、情報処理装置１０１は、例えば、ネットワーク１０４等を介して、所定の通知先の一例であるナースコールシステム１２１、情報端末１２３、及び表示装置１２２ａ、１２２ｂ、・・・と通信可能である。
【００５８】
（情報処理装置の機能構成）
情報処理装置１０１は、例えば、図６のＣＰＵ６０１で所定のプログラムを実行することにより、取得部７０１、検知部７０２、判定情報管理部７０３、情報提供部７０４、領域情報管理部７０５、画像データ管理部７０６、表示制御部７０７、及び記憶部７０８等を実現している。或いは、情報処理装置１０１は、複数のコンピュータ６００で所定のプログラムを実行することにより、上記の各機能構成を実現するものであっても良い。
【００５９】
なお、上記の各機能構成のうち、少なくとも一部は、ハードウェアによって実現されるものであっても良い。
【００６０】
取得部７０１は、例えば、ベッド１０３、及びベッド１０３の周辺の温度を示す温度画像データを撮影するカメラ１０２から、ネットワーク１０４を介して送信される利用者の温度画像データを取得する。
【００６１】
検知部７０２は、取得部７０１が取得した利用者の温度画像データを用いて、複数の検知領域内で所定の温度を検知する。例えば、検知部７０２は、記憶部７０８に記憶した、図８（Ｂ）に示すような領域情報７１２に基づいて、複数の検知領域内で、例えば、利用者５０１の体温に対応する所定の温度を検知する。
【００６２】
図８（Ｂ）は、領域情報７１２の一例のイメージを示している。図８（Ｂ）の例では、領域情報７１２には、項目として、「領域」、「座標範囲」、「温度範囲」、「ピクセル数」等の情報が含まれる。「領域」は、検知領域を識別する番号、名前（例えば、検知領域Ａ等）を示す情報である。「座標範囲」は、各検知領域の範囲を示す情報の一例であり、例えば、各検知領域が矩形である場合、検知領域の４つの頂点を示す座標等で表される。なお、各検知領域の範囲を示す情報は、例えば、複数の小領域の列、行の組合せや、中心点の座標と半径等、様々な形式で表されるものであって良い。
【００６３】
「温度範囲」は、検知対象となる所定の温度の範囲を示す情報の一例である。なお、所定の温度の範囲を示す情報は、例えば、図８（Ｃ）に示すように、温度画像データの検知色で表されるものであっても良い。図８（Ｃ）の例では、一例として、検知色が、色相（Ｈ）、輝度（Ｌ）、彩度（Ｓ）の色空間で表されている。なお、色空間は、色相（Ｈ）、輝度（Ｌ）、彩度（Ｓ）に限られず、例えば、赤（Ｒ）、緑（Ｇ）、青（Ｂ）や、輝度（Ｙ）、青との色差（Ｕ）、赤との色差（Ｖ）等の他の色空間で表されるものであっても良い。
【００６４】
「ピクセル数」は、所定の温度の検知対象となる領域の大きさを示す情報である。例えば、図８（Ｂ）の領域「１」の検知領域では、領域「１」の座標範囲内において、温度範囲「３５℃〜３９℃」に対応する色の領域であって、ピクセル数「３０」以上の大きさの領域がある場合、検知部７０２は、領域「１」で所定の温度を検知したと判断する。また、領域「２」の検知領域では、領域「２」の座標範囲内において、温度範囲「３５℃〜３９℃」に対応する色の領域であって、ピクセル数「１０」以上の大きさの領域がある場合、検知部７０２は、領域「２」で所定の温度を検知したと判断する。同様にして、検知部７０２は、他の領域「３」、「４」、・・・についても、各領域内で所定の温度を検知したか否かを判断する。
【００６５】
判定情報管理部７０３は、複数の検知領域のうち、予め設定された第１の検知領域と第２の検知領域とにおいて、所定の温度が検知されたときの利用者５０１の状態を示す判定内容を管理する。
【００６６】
例えば、判定情報管理部７０３は、図５（Ｃ）において、検知領域Ａ４０３（第１の検知領域）と検知領域Ｂ４０４（第２の検知領域）とで、所定の温度が検知されたときの利用者の状態が「起き上がりの前兆」であることを判定情報７１１等に記憶して管理する。
【００６７】
好ましくは、判定情報管理部７０３は、図５（Ａ）に示す「就寝」状態から、図５（Ｃ）に示すように、検知領域Ａ４０３と検知領域Ｂ４０４とで所定の温度が検知されたときの判定内容「起き上がりの前兆」を、判定情報７１１等に記憶して管理する。
【００６８】
図８（Ａ）は、判定情報管理部７０３が、記憶部７０８等に記憶した管理する判定情報７１１の一例のイメージを示している。図８（Ａ）の例では、判定情報７１１には、項目として、「判定内容」、「判定条件」、「通知内容」、「優先順位」等の情報が含まれる。
【００６９】
「判定内容」は、検知部７０２による検知結果が「判定条件」を満たすときの利用者の状態を示す判定内容を示す情報である。「判定条件」は、「判定内容」ごとの判定条件を示す情報である。「通知内容」は、検知部７０２による検知結果が「判定条件」を満たしたときに、所定の通知先に通知する通知内容を示す情報である。「優先順位」は、複数の「判定内容」の優先順位を示す情報である。
【００７０】
情報処理装置１０１を管理する管理者等は、例えば、図９に示すような設定画面を表示させて、例えば、「判定内容」、「判定条件」等の設定を行うことができる。
【００７１】
図９は、一実施形態に係る設定画面の例を示す図である。図９の例では、設定画面９００には、複数の検知領域を表示する表示欄９０１、検知領域の設定欄９０２、判定内容の設定欄９０３等が含まれる。
【００７２】
表示欄９０１には、一例として、図４に示す検知領域Ａ４０３、検知領域Ｂ４０４−１、４０４−２、検知領域Ｃ４０５、検知領域Ｄ４０６−１、４０６−２、検知領域Ｅ４０７−１、４０７−２に対応する、検知領域１〜８が表示されている。例えば、検知領域１は、図４の検知領域Ａ４０３に対応しており、検知領域２、３は、図４の検知領域Ｂ４０４−１、４０４−２に対応している。また、検知領域４は、図４の検知領域Ｃ４０５に対応しており、検知領域５、６は、図４の検知領域Ｄ４０６−１、４０６−２に対応している。さらに、検知領域７、８は、図４の検知領域Ｅ４０７−１、４０７−２に対応している。
【００７３】
好適な一例として、管理者等は、表示欄９０１において、各検知領域の位置、大きさ等を、ドラック操作、ピンチイン／ピンチアウト操作等により変更することができる。
【００７４】
検知領域の設定欄９０２では、検知領域の作成、各検知領域の「検知色」、「優先順位」、「ピクセル数」等を設定することができる。
【００７５】
判定内容の設定欄９０３では、判定内容の追加、各判定内容の「優先順位」、「判定条件」、「通知内容」等を設定することができる。なお、「判定条件」において、「１：ＯＮ」は、領域「１」の検知領域（検知領域Ａ４０３）で所定の温度が検知された状態を示している。また、「１：ＯＦＦ」は、領域「１」の検知領域で所定の温度が検知されていない状態を示している。他の領域「２」、「３」、・・・についても同様である。また、「判定条件」において矢印「→」は、状態の遷移を示している。
【００７６】
例えば、図９の判定内容の設定欄９０３において、判定内容「就寝」の判定条件は、領域「１」の検知領域（検知領域Ａ４０３）で所定の温度が検知され、且つ領域「２」と「３」の検知領域で所定の温度が検知されていないこと、になる。
【００７７】
また、判定内容「起き上がりの前兆」の判定条件は、領域「１」の検知領域で所定の温度が検知され、且つ領域「２」と「３」の検知領域で所定の温度が検知されていない状態から、領域「１」と「２」（又は「３」）の検知領域で所定の温度が検知された状態に遷移したこと、になる。「就寝」の判定より「起き上がりの前兆」の「判定順位」を上げることで領域「１」が検知されている状態から領域「２」乃至「３」が検知されると「就寝」から「起き上がりの前兆」に判定結果が遷移する。
【００７８】
判定情報管理部７０３は、判定内容の設定欄９０３で設定された判定条件を、例えば、図８（Ａ）に示すような判定情報７１１に記憶して管理する。
【００７９】
情報提供部７０４は、判定情報７１１に記憶した「判定条件」が、検知部７０２によって検知された場合、検知された「判定条件」に対応する「判定内容」を示す利用者の情報を、所定の通知先に提供（通知）する。
【００８０】
例えば、検知部７０２が、図５（Ａ）に示すような「就寝」状態から、検知領域Ａ４０３（領域「１」）、及び検知領域Ｂ４０４（領域「２」）で所定の温度を検知したものとする。この場合、図８（Ａ）の判定情報７１１において、判定内容「起き上がりの前兆」の判定条件が満たされるので、情報提供部７０４は、利用者の状態が「起き上がりの前兆」であることを示す利用者の情報を、所定の通知先に提供（通知）する。
【００８１】
なお、領域「１」における所定の温度（以下、第１の温度と呼ぶ）と、領域「２」における所定の温度（以下、第２の温度と呼ぶ）とは、同じ温度（温度範囲）であっても良いし、異なる温度であっても良い。
【００８２】
領域情報管理部７０５は、例えば、図８（Ｂ）、（Ｃ）に示すような領域情報７１２を、記憶部７０８等に記憶して管理する。例えば、領域情報管理部７０５は、図９に示すような設定画面９００の検知領域の設定欄９０２で設定された、検知領域の「検知色」、「優先順位」、「ピクセル数」等の情報を、領域情報７１２に記憶して管理する。
【００８３】
画像データ管理部７０６は、取得部７０１が取得した温度画像データを、カメラ１０２毎に記憶部７０８に記憶して管理する。例えば、画像データ管理部７０６は、カメラ１０２ａから収集された画像データを、記憶部７０８の画像データ７１３ａに記憶し、カメラ１０２ｂから収集された画像データを、記憶部７０８の画像データ７１３ｂに記憶する。
【００８４】
好ましくは、画像データ管理部７０６は、記憶部７０８に記憶した画像データのうち、所定の保存期間（例えば、１５分間等）を経過した画像データを削除する。
【００８５】
好ましくは、「温度の変化」が検知された画像データは削除せず、アーカイブされる。また、好ましくは、アーカイブされた画像データは、管理者以外削除できないように、管理者権限を付して保存される。
【００８６】
表示制御部７０７は、例えば、図９に示すような設定画面９００を、ディスプレイ６０６等に表示して、管理者等による設定操作を受け付ける。或いは、表示制御部７０７は、例えば、図９に示すような設定画面９００を表示するウェブページを提供するウェブサーバとして機能し、設定画面９００に対する設定操作を受け付けるものであっても良い。
【００８７】
記憶部７０８は、例えば、図６のＣＰＵ６０１で実行されるプログラム、及びＨＤ６０４、ＨＤＤコントローラ６０５、ＲＡＭ６０３等によって実現され、判定情報７１１、領域情報７１２、画像データ７１３ａ、７１３ｂ等の様々なデータや情報を記憶する。なお、記憶部７０８は、情報処理装置１０１とは異なる他の情報処理装置（例えば、ストレージサーバ等）によって実現されるものであっても良い。
【００８８】
なお、図７に示す情報処理装置１０１の機能構成は一例である。例えば、図７の情報処理装置１０１が有する各機能構成は、複数の情報処理装置に分散して配置されていても良い。また、情報処理装置１０１が備える機能のうち、少なくとも一部は、ナースコールシステム１２１等が備えていても良い。
【００８９】
なお、本実施形態では、ナースコールシステム１２１、情報端末１２３、表示装置１２２等は、所定の通知先の一例であり、情報処理装置１０１から通知された利用者の情報を表示可能であれば任意の構成で良いため、ここでは説明を省略する。
【００９０】
＜処理の流れ＞
続いて、本実施形態に係る情報提供方法の処理の流れについて説明する。
【００９１】
（情報処理装置の処理）
図１０は、一実施形態に係る情報処理装置の処理の例を示すフローチャートである。
【００９２】
ステップＳ１００１において、情報処理装置１０１の取得部７０１が、カメラ１０２から、例えば、所定の時間間隔で送信される利用者の温度画像データを取得すると、ステップＳ１００２以降の処理が実行される。
【００９３】
ステップＳ１００２において、情報処理装置１０１の検知部７０２は、取得部７０１が取得した温度画像データの複数の検知領域から所定の温度を検知する。例えば、検知部７０２は、記憶部７０８に記憶した、図８（Ｂ）に示すような領域情報７１２を参照して、図４に示すような複数の検知領域の各々から、所定の温度を検知する。
【００９４】
ステップＳ１００３において、情報処理装置１０１の情報提供部７０４は、検知部７０２による検知結果が、例えば、図８（Ａ）に示すような判定情報７１１の「判定条件」を満たすか否かを判断する。
【００９５】
検知結果が判定条件を満たす場合、情報提供部７０４は、処理をステップＳ１００４に移行させる。一方、検知結果が判定条件を満たさない場合、情報提供部７０４は、図１０の処理を終了する。
【００９６】
ステップＳ１００４に移行すると、情報提供部７０４は、図８（Ａ）に示すような判定情報７１１において、検知結果が「判定条件」を満たした「判定内容」を示す利用者の情報を、所定の通知先（例えば、ナースコールシステム１２１、情報端末１２３、表示装置１２０等）に通知する。
【００９７】
なお、検知結果が複数の「判定条件」を満たした場合、情報提供部７０４は、検知結果が「判定条件」を満たした複数の「判定内容」のうち、最も「優先度」が高い「判定内容」を示す利用者の情報を、所定の通知先に通知する。
【００９８】
（情報処理システムの処理）
図１０は、一実施形態に係る情報処理システムの処理の例を示すシーケンス図である。この処理は、図１０で説明した情報処理装置の処理に対応する、情報処理システム１００全体の処理の例を示している。
【００９９】
ステップＳ１１０１において、カメラ１０２が、カメラ１０２に対応するベッド１０３、及びベッド１０３の周辺の温度画像データ（利用者の温度画像データ）を撮影すると、ステップＳ１１０２以降の処理が実行される。
【０１００】
ステップＳ１１０２において、カメラ１０２は、撮影した温度画像データを情報処理装置１０１に送信する。この温度画像データには、例えば、カメラ１０２、又はカメラ１０２に対応するベッド１０３等を識別するための識別情報が含まれる。なお、カメラ１０２は、例えば、ステップＳ１１０１、Ｓ１１０２の処理を、所定の時間間隔（例えば、数秒〜数十秒間隔）で繰り返し実行する。
【０１０１】
ステップＳ１１０３、Ｓ１１０４おいて、情報処理装置１０１の取得部７０１は、カメラ１０２から取得した温度画像データを、例えば、画像データ管理部７０６、及び検知部７０２に通知する。
【０１０２】
ステップＳ１１０５において、情報処理装置１０１の画像データ管理部７０６は、取得部７０１から通知された温度画像データに含まれる識別情報に基づいて、カメラ１０２に対応するフォルダ等に画像データを記憶する。
【０１０３】
好ましくは、ステップＳ１１０６において、画像データ管理部７０６は、カメラ１０２に対応するフォルダ等に記憶された画像データのうち、所定の保存期間を経過した画像データを削除する。
【０１０４】
ステップＳ１１０７において、情報処理装置１０１の検知部７０２は、取得部７０１から通知された温度画像データの複数の検知領域から、所定の温度を検知する。
【０１０５】
ステップＳ１１０８において、検知部７０２は、複数の検知領域における所定の温度の検知結果を、情報提供部７０４に通知する。この検知結果には、前述した、カメラ１０２、ベッド１０３等を識別するための識別情報が含まれる。
【０１０６】
ステップＳ１１０９において、情報処理装置１０１の情報提供部７０４は、検知部７０２による検知結果が、例えば、図８（Ａ）に示すような判定情報７１１の「判定条件」を満たすか否かを判断する。
【０１０７】
検知部７０２による検知結果が判定条件を満たす場合、ステップＳ１１１０、Ｓ１１１１の処理が実行される。
【０１０８】
ステップＳ１１１０において、情報提供部７０４は、例えば、図８（Ａ）に示すような判定情報７１１において、検知結果が「判定条件」を満たした「判定内容」を示す利用者の情報を、ナースコールシステム１２１に通知する。なお、この利用者の上には、利用者の状態を示す「判定内容」、及びカメラ１０２、ベッド１０３等を識別する識別情報等が含まれる。
【０１０９】
ステップＳ１１１１において、ナースコールシステム１２１は、情報処理装置１０１から通知された利用者の情報に基づいて、例えば、図１２に示すような表示画面１２００を作成し、情報端末１２３、表示装置１２２等に表示させる。
【０１１０】
図１２は、一実施形態に係る表示画面の例を示す図である。図１２の例では、表示画面１２００には、判定内容１２０１、利用者の情報１２０２、及び利用者の画像１２０３等が含まれる。
【０１１１】
判定内容１２０１には、情報処理装置１０１によって判定された利用者の状態を示す情報が表示される。図１２の例では、判定内容１２０１に、利用者が「起き上がりの前兆」を示していることが表示されている。
【０１１２】
利用者の情報１２０２には、判定内容１２０１に対応する利用者に関する情報が表示される。図１２の例では、利用者の情報１２０２には、利用者の病室番号、ベッド番号、利用者の名前等が表示されている。利用者の情報１２０２は、例えば、情報処理装置１０１が管理しているカメラ１０２、ベッド１０３等を識別する識別情報と、ナースコールシステム１２１から通知される患者情報を紐づけて、情報処理装置１０１が作成する。
【０１１３】
利用者の画像１２０３には、例えば、図１１のステップＳ１０１１でカメラ１０２が撮影した利用者の温度画像データによる利用者５０１の温度画像等が表示される。また、利用者の画像１２０３には、利用者５０１の位置関係の把握を容易にするために、ベッドの位置を示す表示要素１２０４を表示しても良い。さらに、利用者の画像１２０３には、所定の温度が検知された検知領域を示す表示要素１２０５、１２０６等を表示しても良い。
【０１１４】
このような表示画面１２００により、例えば、医療施設のスタッフ等は、利用者Ａが、起き上がりの前兆を示していることを、より早く認識できるようになる。
【０１１５】
＜起き上がりの前兆の検知について＞
図１２に示すような、利用者５０１の起き上がりの前兆を示す表示画面１２００を表示するためには、例えば、図８（Ａ）に示すような判定情報７１１、及び図８（Ｂ）、（Ｃ）に示すような領域情報７１２に、適切な情報を設定しておくことが前提になる。
【０１１６】
ここでは、利用者５０１の起き上がりの前兆を検知するための具体的な実施形態について説明する。
【０１１７】
［第１の実施形態］
第１の実施形態では、例えば、図５（Ｃ）に示すように、検知領域Ａ４０３と検知領域Ｂ４０４とで所定の温度（例えば、利用者５０１の体温等）が検知されたときに、利用者５０１の状態が「起き上がりの前兆」と判断する場合の例について説明する。
【０１１８】
（領域情報の設定）
第１の実施形態では、例えば、図８（Ｂ）、又は図８（Ｃ）に示すような領域情報７１２に、図４に示した複数の検知領域のうち、少なくとも、検知領域Ａ４０３、及び検知領域Ｂ４０４を設定しておく。
【０１１９】
検知領域Ａ４０３の「座標範囲」は、例えば、図４に示すように、利用者５０１の枕４０２を配置する領域を含むように設定する。なお、枕４０２の位置や、利用者５０１の頭５０２は移動する可能性が高いので、例えば、図４に示すように、枕４０２の大きさに対して十分に広い座標範囲を設定する。
【０１２０】
検知領域Ｂ４０４の「座標範囲」は、例えば、図４に示すように、ベッド１０３の周囲に設けられた複数の柵４０１−１〜４０１−３のうち、ベッド１０３に横たわっている利用者５０１の手が届く範囲に設けられた柵４０１−１、４０１−２の一部、又は全部を含むように設定する。
【０１２１】
検知領域Ａ４０３の温度範囲（第１の温度範囲）、及び検知領域Ｂ４０４の温度範囲（第２の温度範囲）は、例えば、利用者５０１の体温に対応する温度を設定しておく。なお、利用者５０１の手５０３を検知する検知領域Ｂ４０４は、利用者５０１の手５０３が冷たくなっている場合等を考慮して、温度範囲を広めに設定しても良い。
【０１２２】
検知領域Ａ４０３の「ピクセル数」は、利用者５０１が利用する携帯電話、スマートフォン、音楽プレーヤ等の電子機器や、使い捨てカイロ等を誤検知しないように、人間の頭の大きさを検知するために最適な大きさを、例えば、実験等により予め決定しておくことが望ましい。一方、検知領域Ｂ４０４の「ピクセル数」は、頭５０２よりも小さい手５０３を検知すること、及び電子機器や使い捨てカイロ等の影響を受け難いこと等から、検知領域Ａ４０３の「ピクセル数」より小さい値に設定することが望ましい。
【０１２３】
（判定情報の設定）
第１の実施形態では、例えば、図８（Ａ）に示した判定情報７１１のように、判定内容「起き上がりの前兆」に対応する「判定条件」を設定しておく。図８（Ａ）の例では、判定内容「起き上がりの前兆」に対応する「判定条件」には、２つの判定条件が設定されている。
【０１２４】
第１の判定条件は、「１：ＯＮ → １：ＯＮ ａｎｄ ２：ＯＮ」である。これは、例えば、図４において、検知領域Ａ４０３で第１の温度が検知されている「就寝」状態から、検知領域Ａ４０３で第１の温度が検知され、かつ検知領域Ｂ４０４−１で第２の温度が検知されたときに、「起き上がりの前兆」と判断することを示している。
【０１２５】
第２の判定条件は、「１：ＯＮ → １：ＯＮ ａｎｄ ３：ＯＮ」である。これは、例えば、図４において、検知領域Ａ４０３で第１の温度が検知されている「就寝」状態から、検知領域Ａ４０３で第１の温度が検知され、かつ検知領域Ｂ４０４−２で第２の温度が検知されたときに、「起き上がりの前兆」と判断することを示している。
【０１２６】
なお、ベッド１０３や利用者５０１の状態によって、第１の判定条件、及び第２の判定条件のうち、一方の判定条件のみを判定情報７１１に設定するものであっても良い。
【０１２７】
＜処理の流れ＞
続いて、第１の実施形態に係る判定処理の流れについて説明する。
【０１２８】
図１３は、第１の実施形態に係る判定処理の例を示すフローチャートである。この処理は、利用者５０１の状態が「就寝」であるときに、情報処理装置１０１の情報提供部７０４が実行する、利用者５０１の「起き上がりの前兆」を判定する判定処理の一例を示している。
【０１２９】
ステップＳ１３０１において、情報処理装置１０１の情報提供部７０４は、検知部７０２から、複数の検知領域における所定の温度の検知結果を取得すると、ステップＳ１３０２の処理を実行する。
【０１３０】
ステップＳ１３０２において、情報提供部７０４は、検知領域Ａ４０３で、領域情報７１２に設定された検知領域Ａ４０３（例えば、領域「１」）に対応する「温度範囲」（以下、第１の温度と呼ぶ）が検知されたか否かを判断する。
【０１３１】
検知領域Ａ４０３で第１の温度が検知された場合、情報提供部７０４は、処理をステップＳ１３０３に移行させる。一方、検知領域Ａ４０３で第１の温度が検知されていない場合、情報提供部７０４は、図１３の処理を終了する。
【０１３２】
ステップＳ１３０３に移行すると、情報提供部７０４は、検知領域Ｂ４０４で、領域情報７１２に設定された検知領域Ｂ４０４（例えば、領域「２」、「３」）に対応する「温度範囲」（以下、第２の温度と呼ぶ）が検知されたか否かを判断する。
【０１３３】
検知領域Ｂ４０４で第２の温度が検知された場合、情報提供部７０４は、処理をステップＳ１３０４に移行させる。一方、検知領域Ｂ４０４で第２の温度が検知されていない場合、情報提供部７０４は、処理をステップＳ１３０５に移行させる。
【０１３４】
ステップＳ１３０４に移行すると、情報提供部７０４は、利用者５０１の状態を「起き上がりの前兆」と判定する。
【０１３５】
一方、ステップＳ１３０５に移行すると、情報提供部７０４は、利用者の状態を「就寝」と判断し、処理をステップＳ１３０１に戻す。
【０１３６】
上記の処理により、ベッド１０３を利用する利用者５０１の温度画像データを用いて利用者５０１の状態を検知する情報処理装置１０１において、誤検知を抑制しつつ、利用者５０１による「起き上がりの前兆」を検知することができるようになる。
【０１３７】
［第２の実施形態］
第２の実施形態では、例えば、図５（Ｄ）に示すように、検知領域Ａ４０３と検知領域Ｅ４０７とで所定の温度（例えば、利用者５０１の体温）が検知されたときに、利用者５０１の状態が「起き上がりの前兆」と判断する場合の例について説明する。
【０１３８】
（領域情報の設定）
第２の実施形態では、例えば、図８（Ｂ）、又は図８（Ｃ）に示すような領域情報７１２に、図４に示す複数の検知領域のうち、少なくとも、検知領域Ａ４０３、及び検知領域Ｅ４０７を設定しておく。
【０１３９】
検知領域Ａ４０３の「座標範囲」は、第１の実施形態と同様で良い。検知領域Ｅ４０７の「座標範囲」は、例えば、図５（Ｄ）に示すように、ベッド１０３横に、利用者５０１の足５０４が出たときに、足５０４が検知領域Ｅ４０７に入るように、ベッド１０３の横に隣接する領域を設定する。
【０１４０】
検知領域Ａ４０３の温度範囲（第１の温度範囲）、及び検知領域Ｅ４０７の温度範囲（第２の温度範囲）は、例えば、利用者５０１の体温に対応する温度を設定しておく。なお、利用者５０１の足５０４を検知する検知領域Ｅ４０７は、利用者５０１の足５０４が冷たくなっている場合等を考慮して、温度範囲を広めに設定しても良い。
【０１４１】
検知領域Ａ４０３の「ピクセル数」は、第１の実施形態と同様で良い。一方、検知領域Ｅ４０７の「ピクセル数」は、頭５０２よりも小さい足５０４を検知することから、検知領域Ａ４０３の「ピクセル数」より小さい値に設定することが望ましい。
【０１４２】
（判定情報の設定）
第２の実施形態では、例えば、図８（Ａ）に示すような判定情報７１１における判定内容「起き上がりの前兆」に対応する「判定条件」に、次の２つの判定条件を設定する。
【０１４３】
第１の判定条件は、「１：ＯＮ → １：ＯＮ ａｎｄ ７：ＯＮ」である。これは、例えば、図４において、検知領域Ａ４０３で第１の温度が検知されている「就寝」状態から、検知領域Ａ４０３で第１の温度が検知され、かつ検知領域Ｅ４０７−１で第２の温度が検知されたときに、「起き上がりの前兆」と判断することを示している。
【０１４４】
第２の判定条件は、「１：ＯＮ → １：ＯＮ ａｎｄ ８：ＯＮ」である。これは、例えば、図４において、検知領域Ａ４０３で第１の温度が検知されている「就寝」状態から、検知領域Ａ４０３で第１の温度が検知され、かつ検知領域Ｅ４０７−２で第２の温度が検知されたときに、「起き上がりの前兆」と判断することを示している。
【０１４５】
なお、ベッド１０３や利用者５０１の状態によって、第１の判定条件、及び第２の判定条件のうちの１つを、判定情報７１１に設定するものであっても良い。
【０１４６】
＜処理の流れ＞
図１４は、第２の実施形態に係る判定処理の例を示すフローチャートである。この処理は、利用者５０１の状態が「就寝」であるときに、情報処理装置１０１の情報提供部７０４が実行する、利用者５０１の「起き上がりの前兆」を判定する判定処理の別の一例を示している。
【０１４７】
ステップＳ１４０１において、情報処理装置１０１の情報提供部７０４は、検知部７０２から、複数の検知領域における所定の温度の検知結果を取得すると、ステップＳ１４０２の処理を実行する。
【０１４８】
ステップＳ１４０２において、情報提供部７０４は、検知領域Ａ４０３で、領域情報７１２に設定された検知領域Ａ４０３（例えば、領域「１」）に対応する「温度範囲」（第１の温度）が検知されたか否かを判断する。
【０１４９】
検知領域Ａ４０３で第１の温度が検知された場合、情報提供部７０４は、処理をステップＳ１４０３に移行させる。一方、検知領域Ａ４０３で第１の温度が検知されていない場合、情報提供部７０４は、図１４の処理を終了する。
【０１５０】
ステップＳ１４０３に移行すると、情報提供部７０４は、検知領域Ｅ４０７で、領域情報７１２に設定された検知領域Ｅ４０７に対応する「温度範囲」（第２の温度）が検知されたか否かを判断する。
【０１５１】
検知領域Ｅ４０７で第２の温度が検知された場合、情報提供部７０４は、処理をステップＳ１４０４に移行させる。一方、検知領域Ｅ４０７で第２の温度が検知されていない場合、情報提供部７０４は、処理をステップＳ１４０５に移行させる。
【０１５２】
ステップＳ１４０４に移行すると、情報提供部７０４は、利用者５０１の状態を「起き上がりの前兆」と判定する。
【０１５３】
一方、ステップＳ１４０５に移行すると、情報提供部７０４は、利用者の状態を「就寝」と判断し、処理をステップＳ１４０１に戻す。
【０１５４】
上記の処理により、ベッド１０３を利用する利用者５０１の温度画像データを用いて利用者５０１の状態を検知する情報処理装置１０１において、誤検知を抑制しつつ、利用者５０１による「起き上がりの前兆」を検知することができるようになる。
【０１５５】
なお、情報処理装置１０１は、第２の実施形態を、第１の実施形態とを組み合わせて適用することができる。
【０１５６】
以上、本発明の各実施形態によれば、ベッド１０３を利用する利用者５０１の温度画像データを用いて利用者５０１の状態を検知する情報処理装置１０１において、利用者による起き上がりの前兆を検知し、所定の通知先に通知できるようになる。
【０１５７】
また、本実施形態に係る情報処理装置１０１は、利用者５０１が、例えば、寝返り等の起き上がり以外の動作を行ったときに、誤って、利用者に「起き上がりの前兆」があると判定してしまうことを低減することができる。
【０１５８】
従って、本実施形態によれば、ベッド１０３を利用する利用者５０１の温度画像データを用いて利用者５０１の状態を検知する情報処理装置１０１において、誤通知を抑制しつつ、利用者５０１による「起き上がりの前兆」を通知できるようになる。
【０１５９】
なお、ベッド１０３は、所定の設備の一例であり、「起き上がりの前兆」は、所定の動作の前兆の一例である。
【０１６０】
また、本発明の各実施形態では、複数の所定の検知領域にて温度が検知された場合を「起き上がりの前兆」があるものとして説明したが、温度が同時に検知された場合に「起き上がりの前兆」があるとしても良い。
【０１６１】
＜補足＞
上記で説明した各実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたＡＳＩＣ（Application Specific Integrated Circuit）、ＤＳＰ（digital signal processor）、ＦＰＧＡ（field programmable gate array）や従来の回路モジュール等のデバイスを含むものとする。
【０１６２】
また、実施例に記載された装置群は、本明細書に開示された実施形態を実施するための複数のコンピューティング環境のうちの１つを示すものに過ぎない。ある実施形態では、情報処理装置１０１は、サーバクラスタといった複数のコンピューティングデバイスを含む。複数のコンピューティングデバイスは、ネットワークや共有メモリなどを含む任意のタイプの通信リンクを介して互いに通信するように構成されており、本明細書に開示された処理を実施する。同様に、ナースコールシステム１２１は、互いに通信するように構成された複数のコンピューティングデバイスを含むことができる。
【０１６３】
さらに、情報処理装置１０１、及びナースコールシステム１２１は、開示された処理ステップ、例えば図１０、１１、１３、１４等を様々な組合せで共有するように構成できる。例えば、所定のユニットによって実行されるプロセスは、情報処理装置１０１によって実行され得る。同様に、所定のユニットの機能は、ナースコールシステム１２１によって実行することができる。また、情報処理装置１０１、及びナースコールシステム１２１の機能は、１つのサーバ装置にまとめられていても良いし、複数の装置に分けられていても良い。
【符号の説明】
【０１６４】
１００      情報処理システム
１０１      情報処理装置
１０２      カメラ
１０３      ベッド（設備の一例）
１２１      ナースコールシステム（所定の通知先の一例）
４０１、４０１−１〜４０１−３      柵
４０２      枕
４０３      検知領域Ａ（第１の検知領域）
４０４、４０４−１、４０４−２      検知領域Ｂ（第２の検知領域の一例）
４０７、４０７−１、４０７−２      検知領域Ｅ（第２の検知領域の別の一例）
５０１      利用者
７０３      判定情報管理部
７０４      情報提供部
【先行技術文献】
【特許文献】
【０１６５】
【特許文献１】特開２０１９−０３０６２８号公報
【要約】
【課題】所定の設備を利用する利用者の温度画像データを用いて利用者の状態を検知する情報処理装置において、誤通知を抑制しつつ、利用者による所定の動作の前兆を通知できるようにする。
【解決手段】情報処理装置は、所定の設備を利用する利用者の温度画像データを用いて前記利用者の状態を検知する情報処理装置であって、前記設備及び前記設備の周辺に設けられた複数の検知領域のうち、予め設定された第１の検知領域と第２の検知領域とにおいて、所定の温度が検知されたときの前記利用者の状態を示す判定内容を管理する判定情報管理部と、前記温度画像データにおいて、前記第１の検知領域及び前記第２の検知領域で前記所定の温度が検知されたときに、前記判定内容を示す前記利用者の情報を提供する情報提供部と、を有する。
【選択図】図７【図１】
0006828838.tif 000002
【図２】
0006828838.tif 000003
【図３】
0006828838.tif 000004
【図４】
0006828838.tif 000005
【図５】
0006828838.tif 000006
【図６】
0006828838.tif 000007
【図７】
0006828838.tif 000008
【図８】
0006828838.tif 000009
【図９】
0006828838.tif 000010
【図１０】
0006828838.tif 000011
【図１１】
0006828838.tif 000012
【図１２】
0006828838.tif 000013
【図１３】
0006828838.tif 000014
【図１４】
0006828838.tif 000015